(57)【要約】【課題】デジタルＣＲＴテレビのキャビネットに設けられた、ソフト書き換え用のコネクタ挿入開口部を介した静電気の導通による故障を抑制し、低コストで高信頼性と高作業性とを両立させた実装メモリ書き換え構造を提供する。【解決手段】デジタルＣＲＴテレビ１１の底部に、メイン基板１２に設けられた第１の開口部１２ａと、後部キャビネット１７に設けられた第２の開口部１７ａを介して開口されるコネクタ挿入口を設け、静電気の導通による影響を低減した。【選択図】図２
2007300318.tif 000002
【特許請求の範囲】
【請求項１】
外部から入力されたデジタル映像信号に基づいて所定の映像をＣＲＴディスプレイに表示し、視聴するデジタルＣＲＴテレビにおいて、
当該デジタルＣＲＴテレビは、
前記ＣＲＴディスプレイと、
受信されるデジタルテレビ放送信号から選択されているチャンネルの放送信号を抽出し、出力するデジタルチューナと、
前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理と、所定の周波数の放送信号を前記デジタルチューナに抽出させる制御処理とを行うための処理用ＩＣチップと、当該処理用ＩＣチップが行う上述したデ・スクランブル処理及びデ・マルチプレックス処理のためのデジタル処理ソフト、及び、デジタルチューナに抽出させる周波数設定ソフトが書き込まれたメモリとが実装されるサブ基板と、
映像、音声、電源等の制御処理を行うメイン基板と、
前記デジタルＣＲＴテレビの後部を覆う後部キャビネットとを有し、
前記メイン基板は前記ＣＲＴディスプレイの背面下方に水平に配置され、
前記デジタルチューナは略直方体の金属製筐体を有し、当該金属筐体下部に設けられた脚部が半田接合されることでメイン基板の上面に垂直に立設配置され、
前記サブ基板には、下端にスロット用端子が設けられると共に、前記メモリに書き込まれたデジタルチューナに抽出させる周波数設定ソフトを書き換え入力するためのコネクタが、そのコネクタ挿入開口が下方側に位置するように前記スロット用端子上方に隣接して実装され、
前記メイン基板には、その上面に、前記サブ基板に設けられたスロット用端子を挿入するためのスロットが実装されると共に、前記サブ基板に設けられたコネクタの挿入開口に対応する位置に第１の開口部が設けられ、
前記後部キャビネットには、底部の、前記サブ基板に設けられたコネクタの挿入開口に対応する位置に第２の開口部が設けられ、
前記サブ基板が、スロット用端子がスロットに挿入されることで前記メイン基板に垂直実装された後、前記後部キャビネットが装着されると、前記デジタルＣＲＴテレビの底部には、前記後部キャビネットの第２の開口部、及び前記メイン基板の第１の開口部を介したコネクタ挿入口が形成され、
前記メモリに書き込まれたデジタルチューナに抽出させる前記周波数設定ソフトを書き換え入力する際には、デジタルＣＲＴテレビを傾倒して底部に位置する前記コネクタ挿入口を露出させ、当該コネクタ挿入口に書き換え用治具を挿入して書き換え機器と接続することで、前記コネクタ挿入口への誤挿入に起因した静電気の導通の影響を低減しつつ、前記周波数設定ソフトの書き換え作業を、確実且つ容易化ならしめることを特徴とする、デジタルＣＲＴテレビ。
【請求項２】
電気電子機器内部に配置される回路基板の実装メモリ書き換え構造において、
回路基板には所定のソフトが書き込まれたメモリと、当該メモリに書き込まれたソフトを書き換え入力するためのコネクタとが実装され、
前記コネクタの挿入開口を、前記電気電子機器の底部に露出配置したことを特徴とする、実装メモリ書き換え構造。
【請求項３】
電気電子機器内部に配置される回路基板の実装メモリ書き換え構造において、
前記メモリと前記コネクタとが実装された回路基板は、電気電子機器内に水平に配置されたメイン基板に垂直実装されるサブ基板であり、
前記コネクタは、その挿入開口が、前記メイン基板に垂直実装されたサブ基板の下方側に位置するように実装されると共に、
前記電気電子機器を覆うキャビネット底部の、当該挿入開口に対応する位置には、開口部が設けられて成ることを特徴とする、請求項２に記載の実装メモリ書き換え構造。
【請求項４】
電気電子機器内部に配置される回路基板の実装メモリ書き換え構造において、
前記サブ基板は前記メイン基板の上面に垂直実装され、前記コネクタはサブ基板の下端に、その挿入開口が当該メイン基板に相対するように実装され、
前記メイン基板には、サブ基板に実装された前記コネクタの挿入開口の相対する位置に第１の開口部が設けられると同時に、
電気電子機器を覆う前記キャビネット底部の当該挿入開口の相対する位置に第２の開口部が設けられ、
前記コネクタの挿入開口は、メイン基板に設けられた前記第１の開口部、及びキャビネットに設けられた前記第２の開口部を介して、電気電子機器の底部よりコネクタが挿入可能に外部に露出されることを特徴とする、請求項３に記載の実装メモリ書き換え構造。
【請求項５】
電気電子機器内部に配置される回路基板の実装メモリ書き換え構造において、
電気電子機器は外部から入力されたデジタル映像信号に基づいて所定の映像をＣＲＴディスプレイに表示し、視聴するデジタルＣＲＴテレビであって、
前記メイン基板は、映像、音声、電源等の制御処理を行う回路基板であり、
前記サブ基板は、デジタルチューナに抽出させる周波数設定ソフトが書き込まれたメモリが実装される回路基板であり、
前記サブ基板には、下端にスロット用端子が設けられると共に、前記メモリに書き込まれたデジタルチューナに抽出させる周波数設定ソフトを書き換え入力するためのコネクタが、そのコネクタ挿入開口が下方側に位置するように前記スロット用端子上方に隣接して実装され、
前記メイン基板には、その上面に、前記サブ基板に設けられたスロット用端子を挿入するためのスロットが実装されると共に、前記サブ基板に設けられたコネクタの挿入開口に対応する位置に第１の開口部が設けられ、
前記キャビネットには、底部の、前記サブ基板に設けられたコネクタの挿入開口に対応する位置に第２の開口部が設けられ、
前記サブ基板が、スロット用端子がスロットに挿入されることで前記メイン基板に垂直実装された後、前記後部キャビネットが装着されると、前記デジタルＣＲＴテレビの底部には、前記後部キャビネットの第２の開口部、及び前記メイン基板の第１の開口部を介したコネクタ挿入口が形成されることを特徴とする、請求項４に記載の実装メモリ書き換え構造。
【請求項６】
電気電子機器内部に配置される回路基板の実装メモリ書き換え構造において、
電気電子機器は外部から入力されたデジタル映像信号に基づいて所定の映像をＣＲＴディスプレイに表示し、視聴するデジタルＣＲＴテレビであって、
当該デジタルＣＲＴテレビは、
前記ＣＲＴディスプレイと、
受信されるデジタルテレビ放送信号から選択されているチャンネルの放送信号を抽出し、出力するデジタルチューナと、
前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理と、所定の周波数の放送信号を前記デジタルチューナに抽出させる制御処理とを行うための処理用ＩＣチップと、当該処理用ＩＣチップが行う上述したデ・スクランブル処理及びデ・マルチプレックス処理のためのデジタル処理ソフト、及び、デジタルチューナに抽出させる周波数設定ソフトが書き込まれたメモリとが実装されるサブ基板と、
映像、音声、電源等の制御処理を行うメイン基板と、
前記デジタルＣＲＴテレビの後部を覆う後部キャビネットとを有し、
前記メイン基板は前記ＣＲＴディスプレイの背面下方に水平に配置され、
前記デジタルチューナは略直方体の金属製筐体を有し、当該金属筐体下部に設けられた脚部が半田接合されることでメイン基板の上面に垂直に立設配置され、
前記サブ基板には、下端にスロット用端子が設けられると共に、前記メモリに書き込まれたデジタルチューナに抽出させる周波数設定ソフトを書き換え入力するためのコネクタが、そのコネクタ挿入開口が下方側に位置するように前記スロット用端子上方に隣接して実装され、
前記メイン基板には、その上面に、前記サブ基板に設けられたスロット用端子を挿入するためのスロットが実装されると共に、前記サブ基板に設けられたコネクタの挿入開口に対応する位置に第１の開口部が設けられ、
前記後部キャビネットには、底部の、前記サブ基板に設けられたコネクタの挿入開口に対応する位置に第２の開口部が設けられ、
前記サブ基板が、スロット用端子がスロットに挿入されることで前記メイン基板に垂直実装された後、前記後部キャビネットが装着されると、前記デジタルＣＲＴテレビの底部には、前記後部キャビネットの第２の開口部、及び前記メイン基板の第１の開口部を介したコネクタ挿入口が形成され、
前記メモリに書き込まれたデジタルチューナに抽出させる前記周波数設定ソフトを書き換え入力する際には、デジタルＣＲＴテレビを傾倒して底部に位置する前記コネクタ挿入口を露出させ、当該コネクタ挿入口に書き換え用治具を挿入して書き換え機器と接続することで、前記コネクタ挿入口への誤挿入に起因した静電気の導通の影響を低減しつつ、前記周波数設定ソフトの書き換え作業を、確実且つ容易化ならしめることを特徴とする、請求項５に記載の実装メモリ書き換え構造。
【請求項７】
電気電子機器内部に配置される回路基板の実装メモリ書き換え方法において、
当該実装メモリ書き換え方法は、
回路基板に実装されたコネクタの、前記電気電子機器の底部に露出配置される挿入開口を介して、メモリに書き込まれたソフトを書き換えることを特徴とする、実装メモリ書き換え方法。
【発明の詳細な説明】
【技術分野】
【０００１】
本発明は、電気電子機器内部に配置される基板の実装メモリ書き換え構造、及び当該実装メモリ書き換え構造を有するデジタルＣＲＴテレビ、及び電気電子機器内部に配置される基板の実装メモリ書き換え方法に関する。
【背景技術】
【０００２】
放送された映像をディスプレイに表示させ、視聴するテレビは、娯楽番組、映画、或いはニュースなどを視聴する基幹メディアとして、一般家庭に広く普及して久しい。そして近年では、半導体技術や電子技術の伸展を背景にデジタルテレビ放送が開始され、それに伴って、当該デジタルテレビ放送を受信可能なデジタルチューナを備えると共に、信号処理をデジタル化した上、従来のテレビに対して走査線を多く備えたデジタルテレビが急速に普及しつつある。
【０００３】
図３に、従来より広く用いられているＣＲＴ方式のデジタルテレビ１における、内部の回路基板の実装構造の一例を示す。
【０００４】
図３に示すデジタルＣＲＴテレビ１では、外部から入力されたデジタル映像信号に基づいて所定の映像を表示するＣＲＴディスプレイ１ａの背面下方に、メイン基板２が水平に配置されている。当該メイン基板２は、デジタルＣＲＴテレビ１の映像、音声、或いは電源といった各種制御処理を行うための回路基板である。
【０００５】
メイン基板２には、不図示のアンテナを介して受信されるデジタルテレビ放送信号から選択されているチャンネルの放送信号を抽出し、出力するデジタルチューナ１ｃが実装されている。当該デジタルチューナ１ｃは、例えば略直方体の金属製筐体１ｃ１を有し、前記メイン基板２の所定の位置に脚部１ｃ２が半田接合されることでメイン基板２に垂直に立設配置される。
【０００６】
更に、前記メイン基板２には、前記デジタルチューナ１ｃにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理と、所定の周波数の放送信号を前記デジタルチューナ１ｃに抽出させる制御処理とを行うための不図示の処理用ＩＣチップと、当該処理用ＩＣチップが行う上述したデ・スクランブル処理、及びデ・マルチプレックス処理のためのデジタル処理ソフト、及び、デジタルチューナ１ｃに抽出させる周波数設定ソフトが書き込まれた不図示のメモリとが実装されたサブ基板３が後述する構造で垂直実装される。
【０００７】
即ち、前記メイン基板２の所定の位置にはスロット４が設けられると共に、前記サブ基板３の下端には、当該スロット４に対応するスロット用端子３ａが設けられ、サブ基板３は、スロット用端子３ａがメイン基板２のスロット４に挿入されることで、垂直実装される。
【０００８】
ところで、前記デジタルＣＲＴテレビ１は、北米をはじめ広く海外に輸出されているが、こうした海外によっては、日本国内とは放送チャンネルの状態が大きく異なる場合がある。
【０００９】
例えば北米では、広い国土の各地域毎に、異なった非常に多くの放送チャンネルが存在している。このため、デジタルＣＲＴテレビ１の視聴場所を米国内の異なる地域に移動させるような場合、視聴者が個々の放送チャンネルを逐一、当該地域に合わせる設定作業は容易なことではない。
【００１０】
そこで、放送チャンネルの設定を視聴地域に合わせるために、サービスマンが前記サブ基板３に実装されたメモリに記憶されている、デジタルチューナ１ｃに抽出させる周波数設定ソフトを一括して書き換えることで、対応するようにしている。
【００１１】
このため、前記サブ基板３には、メモリに記憶されている当該周波数設定ソフトを書き換えるためのコネクタ５が実装されている。当該コネクタ５は、水平に配置された前記メイン基板２に前記サブ基板３が垂直実装された状態で、挿入開口部５ａが前記デジタルＣＲＴテレビ１の側方に向くような位置に実装される。
【００１２】
又、デジタルＣＲＴテレビ１の後部を覆う後部キャビネット７の側部には、前記サブ基板３に実装されたコネクタ５の挿入開口部５ａに対応する位置に開口部７ａが設けられ、当該開口部７ａを介して、デジタルＣＲＴテレビ１の外部より当該コネクタ５の挿入開口部５ａに書き換え用治具６を挿入して書き換え機器と接続することで、前記周波数設定ソフトの書き換え作業を行うような構造になっている。
【００１３】
しかしながら、上述したような構造では、前記コネクタ５の挿入開口部５ａがデジタルＣＲＴテレビ１の後部キャビネット７側部に露出しているため、例えば視聴者が当該デジタルＣＲＴテレビ１の位置を動かすような場合、キャビネットを把持しようとした時に誤って当該コネクタ５の挿入開口部５ａに指等を挿入してしまう可能性があった。
【００１４】
その場合、特に乾燥した冬場などに、帯電している高電圧の静電気が、当該コネクタ５の挿入開口部５ａを介して、サブ基板３の回路内に導通してしまうことがあった。その結果、回路内の処理用ＩＣやメモリなどの実装部品が損傷してしまうおそれがあった。
【００１５】
ところで、従来、こうした電気電子機器内の基板に実装されたメモリ内に書き込まれたソフトを書き換える実装メモリ書き換え構造として、以下のような従来技術が開示されている。
【００１６】
即ち、特開２０００−１５２１０１号公報（特許文献１）では、デジタルテレビ放送受信機内に格納された信号処理プログラムを書き換えるための接続コネクタが大型化する問題を解決するために、コンディショナルアクセスデータの入出力用のＩＣカード用コネクタを用いて、受信機の信号処理プログラムの書き換えを行うようにしている。
【００１７】
一方、特開平１０−１２４３０４号公報（特許文献２）では、電子機器内の制御プログラムを書き換える際、分解することなく容易に書き換え作業をできるようにするために、電気機器の筐体にコネクタの開口部を設け、当該開口部を介してコネクタで接続し、制御プログラムを書き換えるようにしている。
【特許文献１】特開２０００−１５２１０１号公報
【特許文献２】特開平１０−１２４３０４号公報
【発明の開示】
【発明が解決しようとする課題】
【００１８】
前記特許文献１の構成によれば、信号処理プログラムを、プログラム書換冶具専用の大型な接続コネクタを用いることなく、コンディショナルアクセスデータの入出力用のＩＣカード用コネクタを兼用して書き換えるので小型軽量化が図れるが、本願発明におけるような側方に設けられた開口部を介した静電気の導通の問題を解決する構成は開示されてはいない。
【００１９】
前記特許文献２の構成によれば、電子機器の筐体に設けられた開口部を介して、電子機器を分解することなく容易に書き換え作業が可能になるが、本特許文献では、当該開口部を傾斜移動する前面部の背面に設けるような構造であり、本願発明におけるデジタルＣＲＴテレビとはその配置構造が異なっており、やはり側方に設けられた開口部を介した静電気の導通の問題を解決する構成は開示されてはいない。
【００２０】
本発明は、上記問題にかんがみてなされたもので、デジタルＣＲＴテレビをはじめとする電機電子機器のキャビネットに設けられた、ソフト書き換え用のコネクタ挿入開口部を介した静電気の導通による故障を抑制し、低コストで高信頼性と高作業性とを両立させた実装メモリ書き換え構造、当該実装メモリ書き換え構造を備えたデジタルＣＲＴテレビ、及び実装メモリ書き換え方法を提供することを目的とする。
【課題を解決するための手段】
【００２１】
上記問題を解決する為に請求項１に記載の発明は、外部から入力されたデジタル映像信号に基づいて所定の映像をＣＲＴディスプレイに表示し、視聴するデジタルＣＲＴテレビにおいて、当該デジタルＣＲＴテレビは、前記ＣＲＴディスプレイと、受信されるデジタルテレビ放送信号から選択されているチャンネルの放送信号を抽出し、出力するデジタルチューナと、前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理と、所定の周波数の放送信号を前記デジタルチューナに抽出させる制御処理とを行うための処理用ＩＣチップと、当該処理用ＩＣチップが行う上述したデ・スクランブル処理及びデ・マルチプレックス処理のためのデジタル処理ソフト、及び、デジタルチューナに抽出させる周波数設定ソフトが書き込まれたメモリとが実装されるサブ基板と、映像、音声、電源等の制御処理を行うメイン基板と、前記デジタルＣＲＴテレビの後部を覆う後部キャビネットとを有し、前記メイン基板は前記ＣＲＴディスプレイの背面下方に水平に配置され、前記デジタルチューナは略直方体の金属製筐体を有し、当該金属筐体下部に設けられた脚部が半田接合されることでメイン基板の上面に垂直に立設配置され、前記サブ基板には、下端にスロット用端子が設けられると共に、前記メモリに書き込まれたデジタルチューナに抽出させる周波数設定ソフトを書き換え入力するためのコネクタが、そのコネクタ挿入開口が下方側に位置するように前記スロット用端子上方に隣接して実装され、前記メイン基板には、その上面に、前記サブ基板に設けられたスロット用端子を挿入するためのスロットが実装されると共に、前記サブ基板に設けられたコネクタの挿入開口に対応する位置に第１の開口部が設けられ、前記後部キャビネットには、底部の、前記サブ基板に設けられたコネクタの挿入開口に対応する位置に第２の開口部が設けられ、前記サブ基板が、スロット用端子がスロットに挿入されることで前記メイン基板に垂直実装された後、前記後部キャビネットが装着されると、前記デジタルＣＲＴテレビの底部には、前記後部キャビネットの第２の開口部、及び前記メイン基板の第１の開口部を介したコネクタ挿入口が形成され、前記メモリに書き込まれたデジタルチューナに抽出させる前記周波数設定ソフトを書き換え入力する際には、デジタルＣＲＴテレビを傾倒して底部に位置する前記コネクタ挿入口を露出させ、当該コネクタ挿入口に書き換え用治具を挿入して書き換え機器と接続することで、前記コネクタ挿入口への誤挿入に起因した静電気の導通の影響を低減しつつ、前記周波数設定ソフトの書き換え作業を、確実且つ容易化ならしめる構成としている。
【００２２】
上記のように構成した請求項１に記載の発明によれば、デジタルＣＲＴテレビにおいて、メモリに書き込まれた、デジタルチューナに抽出させる前記周波数設定ソフトを書き換え入力するためのコネクタ挿入口は、水平配置されたメイン基板の第１の開口部、及び後部キャビネットの第２の開口部を介して底部に開口し、デジタルＣＲＴテレビの通常の配置状態では外部に露出しない。
【００２３】
そして、メモリに書き込まれた、デジタルチューナに抽出させる前記周波数設定ソフトを書き換え入力する場合には、デジタルＣＲＴテレビを傾倒させ、後部キャビネットの底部を持ち上げて露出させた上で、コネクタ挿入口に書き換え用治具を挿入して書き換え機器と接続する。
【００２４】
請求項２に記載の発明は、電気電子機器内部に配置される回路基板の実装メモリ書き換え構造において、回路基板には所定のソフトが書き込まれたメモリと、当該メモリに書き込まれたソフトを書き換え入力するためのコネクタとが実装され、前記コネクタの挿入開口を、前記電気電子機器の底部に露出配置した構成としている。
【００２５】
上記のように構成した請求項２に記載の発明によれば、電気電子機器内の回路基板に実装されたメモリに書き込まれたソフトを書き換え入力するコネクタの挿入開口は、電気電子機器の底部に露出する。
【００２６】
そして、メモリに書き込まれたソフトを書き換え入力する場合には、電気電子機器の底部を持ち上げて露出させた上で、コネクタの挿入開口から書き換え機器と接続する。
【発明の効果】
【００２７】
請求項１に記載の発明によれば、デジタルＣＲＴテレビにおいて、メモリに書き込まれた、デジタルチューナに抽出させる前記周波数設定ソフトを書き換え入力するためのコネクタ挿入口は、水平配置されたメイン基板の第１の開口部、及び後部キャビネットの第２の開口部を介して底部に開口し、デジタルＣＲＴテレビの通常の配置状態では外部に露出しない。
【００２８】
そして、メモリに書き込まれた、デジタルチューナに抽出させる前記周波数設定ソフトを書き換え入力する場合には、デジタルＣＲＴテレビを傾倒させ、後部キャビネットの底部を持ち上げて露出させた上で、コネクタ挿入口に書き換え用治具を挿入して書き換え機器と接続する。
【００２９】
よって、デジタルＣＲＴテレビの通常の配置状態では、前記コネクタ挿入口への誤挿入が抑制されるため、当該コネクタ挿入口を介した静電気の導通による影響を低減しつつ、前記周波数設定ソフトの書き換え作業を、確実且つ容易化ならしめる。
【００３０】
上記のように構成した請求項２に記載の発明によれば、電気電子機器内の回路基板に実装されたメモリに書き込まれたソフトを書き換え入力するコネクタの挿入開口は、電気電子機器の底部に露出する。
【００３１】
そして、メモリに書き込まれたソフトを書き換え入力する場合には、電気電子機器の底部を持ち上げて露出させた上で、コネクタの挿入開口から書き換え機器と接続する。
【００３２】
よって、電気電子機器の通常の配置状態では、コネクタの挿入開口への誤挿入が抑制されるため、当該挿入開口を介した静電気の導通による影響を低減しつつ、ソフトの書き換え作業を、確実且つ容易化ならしめる。
【００３３】
上記のように構成した請求項３に記載の発明によれば、電気電子機器内の回路基板に実装されたメモリに書き込まれたソフトを書き換え入力するコネクタの挿入開口は、水平配置されたメイン基板に垂直実装されるサブ基板の下方側に位置するように実装されることで電気電子機器の底部に露出する。
【００３４】
そして、メモリに書き込まれたソフトを書き換え入力する場合には、電気電子機器の底部を持ち上げて露出させた上で、コネクタの挿入開口から書き換え機器と接続する。
【００３５】
よって、電気電子機器の通常の配置状態では、コネクタの挿入開口への誤挿入が抑制されるため、当該挿入開口を介した静電気の導通による影響を低減しつつ、ソフトの書き換え作業を、確実且つ容易化ならしめる。
【００３６】
上記のように構成した請求項４に記載の発明によれば、水平配置されたメイン基板の第１の開口部、及びキャビネットの第２の開口部を介して底部に開口する。
【００３７】
そして、メモリに書き込まれたソフトを書き換え入力する場合には、電気電子機器の底部を持ち上げて露出させた上で、コネクタの挿入開口から書き換え機器と接続する。
【００３８】
よって、電気電子機器の通常の配置状態では、コネクタの挿入開口への誤挿入が抑制されるため、当該挿入開口を介した静電気の導通による影響を低減しつつ、ソフトの書き換え作業を、確実且つ容易化ならしめる。
【００３９】
上記のように構成した請求項５に記載の発明によれば、デジタルＣＲＴテレビにおいて、メモリに書き込まれた、デジタルチューナに抽出させる前記周波数設定ソフトを書き換え入力するためのコネクタ挿入口は、水平配置されたメイン基板の第１の開口部、及び後部キャビネットの第２の開口部を介して底部に開口し、デジタルＣＲＴテレビの通常の配置状態では外部に露出しない。
【００４０】
そして、メモリに書き込まれた、デジタルチューナに抽出させる前記周波数設定ソフトを書き換え入力する場合には、デジタルＣＲＴテレビを傾倒させ、後部キャビネットの底部を持ち上げて露出させた上で、コネクタの挿入開口から書き換え機器と接続する。
【００４１】
よって、デジタルＣＲＴテレビの通常の配置状態では、コネクタの挿入開口への誤挿入が抑制されるため、当該挿入開口を介した静電気の導通による影響を低減しつつ、前記周波数設定ソフトの書き換え作業を、確実且つ容易化ならしめる。
【００４２】
上記のように構成した請求項６に記載の発明によれば、デジタルＣＲＴテレビにおいて、メモリに書き込まれた、デジタルチューナに抽出させる前記周波数設定ソフトを書き換え入力するためのコネクタ挿入口は、水平配置されたメイン基板の第１の開口部、及び後部キャビネットの第２の開口部を介して底部に開口し、デジタルＣＲＴテレビの通常の配置状態では外部に露出しない。
【００４３】
そして、メモリに書き込まれた、デジタルチューナに抽出させる前記周波数設定ソフトを書き換え入力する場合には、デジタルＣＲＴテレビを傾倒させ、後部キャビネットの底部を持ち上げて露出させた上で、コネクタ挿入口に書き換え用治具を挿入して書き換え機器と接続する。
【００４４】
よって、デジタルＣＲＴテレビの通常の配置状態では、前記コネクタ挿入口への誤挿入が抑制されるため、当該コネクタ挿入口を介した静電気の導通による影響を低減しつつ、前記周波数設定ソフトの書き換え作業を、確実且つ容易化ならしめる。
【００４５】
上記のように構成した請求項７に記載の発明によれば、請求項２と同様の効果が得られる実装メモリ書き換え方法を提供できる。
【発明を実施するための最良の形態】
【００４６】
以下、本発明を電気電子機器としてのデジタルＣＲＴテレビにおいて具体化した実施例について説明する。
【実施例１】
【００４７】
図１には、本実施例におけるデジタルＣＲＴテレビ１１の概略構成を説明するブロック図を示す。尚、当該デジタルＣＲＴテレビ１１について、本願発明と直接関連しない構造については、詳細な説明、及び図示を省略する。
【００４８】
同図において、デジタルＣＲＴテレビ１１は、外部から入力されたデジタル映像信号に基づいて所定の映像を表示するＣＲＴディスプレイ１１ａと、本体の動作を制御するコントローラ１１ｂと、図示していないアンテナで受信されるデジタルテレビ放送信号から選択されているチャンネルのデジタルテレビ放送信号を抽出し、出力するデジタルチューナ１１ｃと、該デジタルチューナ１１ｃが出力したデジタルテレビ放送信号を、後述するデジタル処理を行うデジタル処理部１１ｄと、当該デジタル処理部１１ｄで処理され出力される映像信号をＣＲＴディスプレイ１１ａに適宜最適な状態で表示させるために制御処理する映像処理部１１ｅと、同じくデジタル処理部１１ｄで処理され出力される音声信号を音声をスピーカ１１ｇから最適な状態で出力させるために制御処理する、音声処理部１１ｆと、リモコン１１ｈから送信されてきた制御コマンドを受信するリモコン受信部１１ｉとを備えている。
【００４９】
図２に、前記デジタルＣＲＴテレビ１１内部の概略構造を示す。
【００５０】
同図に示す通り、デジタルＣＲＴテレビ１１は、前記ＣＲＴディスプレイ１１ａの背面下方に、メイン基板１２が水平に配置されている。当該メイン基板１２は、デジタルＣＲＴテレビ１１の映像、音声、或いは電源といった各種制御処理を行うための前記コントローラ１１ｂを構成する回路基板である。
【００５１】
前記メイン基板１２には、前記デジタルチューナ１１ｃが実装されている。当該デジタルチューナ１１ｃは、例えば短辺と長辺とから成る略長方形の下面及び上面を有する略直方体の例えばアルミ板が曲げ加工されて成る金属製筐体１１ｃ１を有し、当該下面の四隅近傍には４つの脚部１１ｃ２が各々設けられる。当該脚部１１ｃ２には、例えばＳｎメッキ処理が施され、前記メイン基板１２の所定の位置に当該脚部１１ｃ２が半田接合されることでメイン基板に垂直に立設配置される。
【００５２】
又、前記メイン基板１２には、後述するサブ基板１３を垂直実装するためのスロット１４が、前記デジタルチューナ１１ｃが立設配置される位置に隣接する位置に実装されている。
【００５３】
前記サブ基板１３は、前記デジタルチューナ１１ｃにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理を行うために１チップ化された不図示の処理用ＩＣと、当該処理用ＩＣチップが行う上述したデ・スクランブル処理、及びデ・マルチプレックス処理のためのデジタル処理ソフト、及び、デジタルチューナ１１ｃに抽出させる周波数設定ソフトが書き込まれた不図示のメモリとが実装されている。
【００５４】
又、前記サブ基板１３の下端には、前記メイン基板１２に実装されたスロット１４に対応する凸状のスロット用端子１３ａが設けられ、サブ基板１３は、スロット用端子１３ａがメイン基板１２のスロット１４に挿入されることで、前記デジタルチューナ１１ｃに隣接する位置に垂直実装される。
【００５５】
更に、前記サブ基板１３には、前記メモリに書き込まれたデジタルチューナ１１ｃに抽出させる周波数設定ソフトを書き換え入力するためのコネクタ１５が、その挿入開口１５ａが下方側に位置するように前記スロット用端子１３ａ上方に隣接して実装されている一方、前記メイン基板１２には、前記サブ基板１３に設けられたコネクタ１５の挿入開口１５ａに対応する位置に、後述する書き換え用治具１６が下方から挿入可能に第１の開口部１２ａが設けられている。
【００５６】
本実施例におけるデジタルＣＲＴテレビ１１は、ＣＲＴディスプレイ１１ａの位置が開口した状態で前方半分を覆う樹脂製の不図示の前部キャビネットと、ＣＲＴディスプレイ１１ａの後部、前記メイン基板１２、及び前記サブ基板１３等の後方半分を覆う樹脂製の後部キャビネット１７とが組み合わされてデジタルＣＲＴテレビ１１全体を覆うキャビネットが形成される。
【００５７】
この内、前記後部キャビネット１７の底部における、前記サブ基板１３に実装されたコネクタ１５の挿入開口１５ａに対応する位置には、後述する書き換え用治具１６が下方から挿入可能に第２の開口部１７ａが設けられている。即ち、メイン基板１２に設けられた前記第１の開口部１２ａと、後部キャビネット１７に設けられた前記第２の開口部１７ａは、サブ基板１３に実装された前記コネクタ１５の挿入開口１５ａに連通するように形成されており、当該両開口部１２ａ，１７ａを介して前記デジタルＣＲＴテレビ１１の底部に開口するコネクタ挿入口が構成される。
【００５８】
従って、前記コネクタ挿入口は、デジタルＣＲＴテレビ１１の通常の配置状態では外部に露出しないので、例えば視聴者が当該デジタルＣＲＴテレビ１１の位置を動かすような場合、キャビネットを把持しようとした時に誤って当該コネクタ挿入口に指等を挿入してしまう可能性を低減できる。
【００５９】
その結果、帯電している高電圧の静電気が、当該コネクタ挿入口を介して、サブ基板１３の回路内に導通することによる、回路内の処理用ＩＣやメモリなどの実装部品の損傷を抑制することができる。
【００６０】
又、メモリに書き込まれた、デジタルチューナ１１ｃに抽出させる前記周波数設定ソフトを書き換え入力する場合には、デジタルＣＲＴテレビ１１を傾倒させ、後部キャビネット１７の底部を持ち上げて露出させた上で、コネクタ挿入口に書き換え用治具１６を挿入して書き換え機器と接続する。
【００６１】
尚、このメモリ書き換え作業においては、コネクタ挿入口が従来のキャビネット側方に設けられている場合に比べ、デジタルＣＲＴテレビ１１を傾倒させて、底部にあるコネクタ挿入口を露出させる作業が余分に必要となるが、当該メモリ書き換え作業は、デジタルチューナ１１ｃに抽出させる前記周波数設定を変更する必要のあるような限られた場合のみで、しかも作業を行うのはサービスマンであり、通常使用時に視聴者が一切行う必要のない作業であるので、何ら問題はない。
【００６２】
以上に説明したように、本実施例におけるデジタルＣＲＴテレビ１１によれば、通常使用時には露出しない後部キャビネット１７底部にソフト書き換え用のコネクタ挿入口を設けるようにしたので、当該コネクタ挿入口を介した静電気の導通による故障を抑制し、低コストで高信頼性と高作業性とを両立させた実装メモリ書き換え構造、及び当該実装メモリ書き換え構造を備えたデジタルＣＲＴテレビ１１を提供することができる。
【００６３】
尚、本願発明は実施例の構成に限定されるものではなく、以下に列記する構成について、適宜変更可能である。
【００６４】
１．実施例では、回路基板実装構造を有する電気電子機器として、デジタルＣＲＴテレビの場合を例に説明したが、これに限定されることはなく、回路基板に実装されたメモリ内に格納されるソフトを書き換える必要があって、ソフト書き換え用のコネクタ挿入開口部をキャビネットに備える、液晶テレビ、プラズマテレビ等の各種テレビ受像機、更には、テレビ受像機以外の各種電気電子機器に適用するようにしても良い。
【００６５】
２．実施例に記載した、水平配置されたメイン基板と、当該メイン基板に垂直実装され、ソフト書き換え用のコネクタが実装されるサブ基板の実装構造は、実施例に限定されることはなく、前記コネクタの挿入開口部が電気電子機器の底部に開口できれば、適宜変更可能である。
【００６６】
例えば、サブ基板をメイン基板の上面ではなく下面側に垂直実装し、当該サブ基板の下端にコネクタを、その挿入開口部が下方に向くように実装する構成や、サブ基板をメイン基板に設けた貫通孔に一部貫通して垂直実装し、メイン基板の下側に貫通したサブ基板の下端にコネクタを、その挿入開口部が下方に向くように実装する構成、或いはメイン基板の端部にサブ基板をＴ字状に垂直配置し、当該サブ基板の下端にコネクタを、その挿入開口部が下方に向くように実装する構成等が挙げられる。
【００６７】
更には、前記コネクタを、サブ基板ではなくメイン基板側に、その挿入開口部が下方に向くように実装しても良い。この場合、サブ基板とコネクタとは、スロット用端子を介して配線接続する。
【００６８】
３．サブ基板のメイン基板への垂直実装構造は、実施例で説明したようなスロットを介した構造に限定はされず、他の各種垂直実装構造が適用可能である。例えば、サブ基板とメイン基板とに一対のピン挿入コネクタを設けたり、或いは、メイン基板にスルーホールを設けると共に、サブ基板に設けたピン端子を挿入、半田挿入実装する構成等が挙げられる。
【００６９】
４．電気電子機器の底部にその挿入開口部が開口するように設けるコネクタは、電気電子機器内に格納されるソフトの書き換えのためのものに限定はされず、当該電気電子機器と外部との間で接続を要する他の用途のためのものであっても良い。
【００７０】
例えば、電気電子機器の内部の故障診断用のインターフェースとして設けられるためのコネクタが挙げられる。
【００７１】
５．電気電子機器の底部にその挿入開口部が開口するように設けるコネクタは、１つのみに限定はされず、２つ以上の複数を開口するように設けても、勿論良い。
【００７２】
更に、複数のコネクタを設ける場合、１つのサブ基板に複数のコネクタを設けても良いし、或いは、サブ基板を複数、メイン基板に垂直実装させ、各々のサブ基板にコネクタを実装するようにしても良い。
【００７３】
尚、コネクタを複数設ける構成の場合には、当該複数のコネクタの挿入開口個々に対応する位置に、メイン基板に設ける第１の開口部、及び後部キャビネットに設ける第２の開口部を複数設けることになるのは言うまでもない。
【００７４】
６．電気電子機器の底部に開口するコネクタの挿入開口部は、開閉可能なカバーを設けるようにしても良い。この場合、一層確実に、誤挿入による静電気の導通の影響を低減することができる。
【００７５】
７．実施例で説明した構成は、実装メモリ書き換え構造、及び当該実装メモリ書き換え構造を備えたデジタルＣＲＴテレビとしてのみならず、実装メモリ書き換え方法としても提供可能であるのは言うまでも無い。
【００７６】
以下に請求項３以降の作用について述べる。
【００７７】
請求項３に記載の発明は、電気電子機器内部に配置される回路基板の実装メモリ書き換え構造において、前記メモリと前記コネクタとが実装された回路基板は、電気電子機器内に水平に配置されたメイン基板に垂直実装されるサブ基板であり、前記コネクタは、その挿入開口が、前記メイン基板に垂直実装されたサブ基板の下方側に位置するように実装されると共に、前記電気電子機器を覆うキャビネット底部の、当該挿入開口に対応する位置には、開口部が設けられて成る構成としている。
【００７８】
上記のように構成した請求項３に記載の発明によれば、電気電子機器内の回路基板に実装されたメモリに書き込まれたソフトを書き換え入力するコネクタの挿入開口は、水平配置されたメイン基板に垂直実装されるサブ基板の下方側に位置するように実装されることで電気電子機器の底部に露出する。
【００７９】
そして、メモリに書き込まれたソフトを書き換え入力する場合には、電気電子機器の底部を持ち上げて露出させた上で、コネクタの挿入開口から書き換え機器と接続する。
【００８０】
請求項４に記載の発明は、電気電子機器内部に配置される回路基板の実装メモリ書き換え構造において、前記サブ基板は前記メイン基板の上面に垂直実装され、前記コネクタはサブ基板の下端に、その挿入開口が当該メイン基板に相対するように実装され、前記メイン基板には、サブ基板に実装された前記コネクタの挿入開口の相対する位置に第１の開口部が設けられると同時に、電気電子機器を覆う前記キャビネット底部の当該挿入開口の相対する位置に第２の開口部が設けられ、前記コネクタの挿入開口は、メイン基板に設けられた前記第１の開口部、及びキャビネットに設けられた前記第２の開口部を介して、電気電子機器の底部よりコネクタが挿入可能に外部に露出される構成としている。
【００８１】
上記のように構成した請求項４に記載の発明によれば、水平配置されたメイン基板の第１の開口部、及びキャビネットの第２の開口部を介して底部に開口する。
【００８２】
そして、メモリに書き込まれたソフトを書き換え入力する場合には、電気電子機器の底部を持ち上げて露出させた上で、コネクタの挿入開口から書き換え機器と接続する。
【００８３】
請求項５に記載の発明は、電気電子機器内部に配置される回路基板の実装メモリ書き換え構造において、電気電子機器は外部から入力されたデジタル映像信号に基づいて所定の映像をＣＲＴディスプレイに表示し、視聴するデジタルＣＲＴテレビであって、前記メイン基板は、映像、音声、電源等の制御処理を行う回路基板であり、前記サブ基板は、デジタルチューナに抽出させる周波数設定ソフトが書き込まれたメモリが実装される回路基板であり、前記サブ基板には、下端にスロット用端子が設けられると共に、前記メモリに書き込まれたデジタルチューナに抽出させる周波数設定ソフトを書き換え入力するためのコネクタが、そのコネクタ挿入開口が下方側に位置するように前記スロット用端子上方に隣接して実装され、前記メイン基板には、その上面に、前記サブ基板に設けられたスロット用端子を挿入するためのスロットが実装されると共に、前記サブ基板に設けられたコネクタの挿入開口に対応する位置に第１の開口部が設けられ、前記キャビネットには、底部の、前記サブ基板に設けられたコネクタの挿入開口に対応する位置に第２の開口部が設けられ、前記サブ基板が、スロット用端子がスロットに挿入されることで前記メイン基板に垂直実装された後、前記後部キャビネットが装着されると、前記デジタルＣＲＴテレビの底部には、前記後部キャビネットの第２の開口部、及び前記メイン基板の第１の開口部を介したコネクタ挿入口が形成される構成としている。
【００８４】
上記のように構成した請求項５に記載の発明によれば、デジタルＣＲＴテレビにおいて、メモリに書き込まれた、デジタルチューナに抽出させる前記周波数設定ソフトを書き換え入力するためのコネクタ挿入口は、水平配置されたメイン基板の第１の開口部、及び後部キャビネットの第２の開口部を介して底部に開口し、デジタルＣＲＴテレビの通常の配置状態では外部に露出しない。
【００８５】
そして、メモリに書き込まれた、デジタルチューナに抽出させる前記周波数設定ソフトを書き換え入力する場合には、デジタルＣＲＴテレビを傾倒させ、後部キャビネットの底部を持ち上げて露出させた上で、コネクタの挿入開口から書き換え機器と接続する。
【００８６】
請求項６に記載の発明は、電気電子機器内部に配置される回路基板の実装メモリ書き換え構造において、電気電子機器は外部から入力されたデジタル映像信号に基づいて所定の映像をＣＲＴディスプレイに表示し、視聴するデジタルＣＲＴテレビであって、当該デジタルＣＲＴテレビは、 前記ＣＲＴディスプレイと、受信されるデジタルテレビ放送信号から選択されているチャンネルの放送信号を抽出し、出力するデジタルチューナと、前記デジタルチューナにより出力されたデジタルテレビ放送信号のスクランブルを解除するデ・スクランブル処理と、多重化された当該デジタルテレビ放送信号の中から、映像信号、音声信号、及びデータ信号を取り出すデ・マルチプレックス処理と、所定の周波数の放送信号を前記デジタルチューナに抽出させる制御処理とを行うための処理用ＩＣチップと、当該処理用ＩＣチップが行う上述したデ・スクランブル処理及びデ・マルチプレックス処理のためのデジタル処理ソフト、及び、デジタルチューナに抽出させる周波数設定ソフトが書き込まれたメモリとが実装されるサブ基板と、映像、音声、電源等の制御処理を行うメイン基板と、前記デジタルＣＲＴテレビの後部を覆う後部キャビネットとを有し、前記メイン基板は前記ＣＲＴディスプレイの背面下方に水平に配置され、前記デジタルチューナは略直方体の金属製筐体を有し、当該金属筐体下部に設けられた脚部が半田接合されることでメイン基板の上面に垂直に立設配置され、前記サブ基板には、下端にスロット用端子が設けられると共に、前記メモリに書き込まれたデジタルチューナに抽出させる周波数設定ソフトを書き換え入力するためのコネクタが、そのコネクタ挿入開口が下方側に位置するように前記スロット用端子上方に隣接して実装され、前記メイン基板には、その上面に、前記サブ基板に設けられたスロット用端子を挿入するためのスロットが実装されると共に、前記サブ基板に設けられたコネクタの挿入開口に対応する位置に第１の開口部が設けられ、前記後部キャビネットには、底部の、前記サブ基板に設けられたコネクタの挿入開口に対応する位置に第２の開口部が設けられ、前記サブ基板が、スロット用端子がスロットに挿入されることで前記メイン基板に垂直実装された後、前記後部キャビネットが装着されると、前記デジタルＣＲＴテレビの底部には、前記後部キャビネットの第２の開口部、及び前記メイン基板の第１の開口部を介したコネクタ挿入口が形成され、前記メモリに書き込まれたデジタルチューナに抽出させる前記周波数設定ソフトを書き換え入力する際には、デジタルＣＲＴテレビを傾倒して底部に位置する前記コネクタ挿入口を露出させ、当該コネクタ挿入口に書き換え用治具を挿入して書き換え機器と接続することで、前記コネクタ挿入口への誤挿入に起因した静電気の導通の影響を低減しつつ、前記周波数設定ソフトの書き換え作業を、確実且つ容易化ならしめる構成としている。
【００８７】
上記のように構成した請求項６に記載の発明によれば、デジタルＣＲＴテレビにおいて、メモリに書き込まれた、デジタルチューナに抽出させる前記周波数設定ソフトを書き換え入力するためのコネクタ挿入口は、水平配置されたメイン基板の第１の開口部、及び後部キャビネットの第２の開口部を介して底部に開口し、デジタルＣＲＴテレビの通常の配置状態では外部に露出しない。
【００８８】
そして、メモリに書き込まれた、デジタルチューナに抽出させる前記周波数設定ソフトを書き換え入力する場合には、デジタルＣＲＴテレビを傾倒させ、後部キャビネットの底部を持ち上げて露出させた上で、コネクタ挿入口に書き換え用治具を挿入して書き換え機器と接続する。
【００８９】
請求項７に記載の発明は、電気電子機器内部に配置される回路基板の実装メモリ書き換え方法において、当該実装メモリ書き換え方法は、回路基板に実装されたコネクタの、前記電気電子機器の底部に露出配置される挿入開口を介して、メモリに書き込まれたソフトを書き換える構成としている。
【００９０】
上記のように構成した請求項７に記載の発明によれば、請求項２と同様の作用が得られる実装メモリ書き換え方法が提供される。
【産業上の利用可能性】
【００９１】
デジタルＣＲＴテレビのキャビネットに設けられた、ソフト書き換え用のコネクタ挿入開口部を介した静電気の導通による故障を抑制し、低コストで高信頼性と高作業性とを両立させた実装メモリ書き換え構造、当該実装メモリ書き換え構造を備えたデジタルＣＲＴテレビ、及び実装メモリ書き換え方法を提供する。
【図面の簡単な説明】
【００９２】
【図１】本発明の実施例１を説明するブロック図である。
【図２】本発明の実施例１を説明する部分斜視図である。
【図３】従来技術を説明する部分斜視図である。
【符号の説明】
【００９３】
１１…デジタルＣＲＴテレビ
１１ａ…ＣＲＴディスプレイ
１１ｃ…デジタルチューナ
１２…メイン基板
１２ａ…第１の開口部
１３…サブ基板
１３ａ…スロット用端子
１４…スロット
１５…コネクタ
１５ａ…挿入開口
１６…書き換え用治具
１７…後部キャビネット
１７ａ…第２の開口部
【図１】
2007300318.tif 000003
【図２】
2007300318.tif 000004
【図３】
2007300318.tif 000005